(57)【要約】【課題】原稿の明度と記録媒体の明度が異なることに起因する記録品質が低下を防ぐ。【解決手段】原稿の画像を読み取る原稿読み取り部１０１と、各々が異なる記録媒体を収容する複数の媒体トレイ１０７、１０８と、少なくとも記録媒体の光学的反射に関する情報を記憶する明度記憶部１０４と、原稿読み取り部１０１により読み取られた原稿の画像から、この画像の光学的反射に関する情報を取得する情報取得部１０１と、明度記憶部１０４により記憶された予め定められた情報と、情報取得部１０１により取得された情報とを比較する明度比較部１０５と、明度比較部１０５による比較結果に基づいて、記録媒体を選択する記録媒体選択部１０６と、原稿読み取り部１０１で読み取られた原稿の画像を記録媒体上に形成する画像形成部１０９と備えている。【選択図】        図１
2004361605.tif 000002
【特許請求の範囲】
【請求項１】
原稿に光を照射して反射光を、原稿の画像情報として読み取る原稿読み取り部と、
異なる記録媒体を収容する複数の媒体トレイと、
少なくとも記録媒体の光学的反射に関する第１の情報を記憶する記憶手段と、
前記画像情報から、原稿の光学的反射に関す第２の情報を取り出す第１の情報取得手段と、
前記第１の情報と、前記第２の情報とを比較する比較手段と、
前記比較手段による比較結果に基づいて、記録媒体を選択する選択手段と、
前記画像情報を記録媒体上に形成する画像形成部と備えたことを特徴とする画像形成装置。
【請求項２】
第１の情報は、明度に関する情報であることを特徴とする請求項１に記載の画像形成装置。
【請求項３】
前記第１の情報は、光沢度に関する情報であることを特徴とする請求項１に記載の画像形成装置。
【請求項４】
前記第１の情報は、色に関する情報であることを特徴とする請求項１に記載の画像形成装置。
【請求項５】
前記第１の情報は、前記第１の情報取得手段により取得されて前記記憶手段に記憶されることを特徴とする請求項１に記載の画像形成装置。
【請求項６】
前記複数のトレイの各々に対応して、前記第１の情報を取得する第２の情報取得手段を更に備え、前記第１の情報が前記記憶手段に記憶されることを特徴とする請求項１に記載の画像形成装置。
【請求項７】
前記第２の情報取得手段は、媒体が搬送される経路中に、設けられたことを特徴とする請求項６に記載の画像形成装置。
【請求項８】
オペレータが前記第１の情報を入力するための入力手段を更に備えたことを特徴とする請求項１に記載の画像形成装置。
【請求項９】
記録媒体の名称と、記録媒体の名称に対応した前記第１の情報が予め設定されたテーブルと、
オペレータが記録媒体の名称を入力するための入力手段と、
記録媒体の名称に対応する前記第１の情報を、前記テーブルから選択する選択手段とを更に備え、
前記選択手段により選択された第１の情報が、前記記憶手段に記憶されることを特徴とする請求項１に記載の画像形成装置。
【請求項１０】
記録媒体の名称と、記録媒体の名称に対応した前記第１の情報とを前記テーブルに登録する登録手段を更に備え、
前記入力手段により入力された記録媒体の名称と、前記取得手段によって取得した記録媒体の光学的反射に関する情報とを、前記登録手段を介して前記テーブルに登録することを特徴とする請求項９に記載の画像形成装置。
【発明の詳細な説明】
【０００１】
【発明の属する技術分野】
本発明は、電子写真式の画像形成装置に関する。
【０００２】
【従来の技術】
従来の原稿読取手段を有する画像形成装置では、コピー動作を行う際に、原稿の大きさを検出し、検出した原稿の大きさに応じた記録媒体を選択していた。しかし、原稿の明度に応じた記録媒体を選択することはしなかった。原稿読取手段を有する従来の画像形成装置として、特開２０００−３２２０７号公報に開示された装置がある。この装置では、画像形成の対象となる画像データの色数を認識し、この色数を予め決められた色数と比較し、この比較結果に基づいて、画像形成を行う記録媒体の種類を決定する。
【０００３】
【特許文献１】
特開２０００−３２２０７号公報
【０００４】
【発明が解決しようとする課題】
従来の原稿読み取り手段を有する画像形成装置では、コピー動作を行う場合、記録された画像の色数に応じて記録媒体の種類を決めるので、必ずしも原稿に近い明度を有する記録媒体が選択されるとは限らない。したがって、原稿の明度と記録媒体の明度が異なると、記録品質が低下するという問題があった。
【０００５】
【課題を解決するための手段】
本発明に係わる画像形成装置は、
原稿に光を照射して反射光を、原稿の画像情報として読み取る原稿読み取り部と、
各々が異なる記録媒体を収容する複数の媒体トレイと、
少なくとも記録媒体の光学的反射に関する第１の情報を記憶する記憶手段と、
前記画像情報から、原稿の光学的反射に関す第２の情報を取り出す第１の情報取得手段と、
前記第１の情報と、前記第２の情報とを比較する比較手段と、
前記比較手段による比較結果に基づいて、記録媒体を選択する選択手段と、
前記画像情報を記録媒体上に形成する画像形成部と備えたことを特徴とする。
【０００６】
第１の情報は、明度に関する情報、光沢度に関する情報又は色に関する情報であることを特徴とする。
【０００７】
前記複数のトレイの各々に対応して、前記第１の情報を取得する第２の情報取得手段を更に備え、前記第１の情報が前記記憶手段に記憶されることを特徴とする。
【０００８】
前記第２の情報取得手段は、媒体が搬送される経路中に、設けられたことを特徴とする。
【０００９】
画像形成装置は、オペレータが前記第１の情報を入力するための入力手段を更に備えたことを特徴とする。
【００１０】
画像装置は、記録媒体の名称と、記録媒体の名称に対応した前記第１の情報が予め設定されたテーブルと、オペレータが記録媒体の名称を入力するための入力手段と、記録媒体の名称に対応する前記第１の情報を、前記テーブルから選択する選択手段とを更に備え、前記選択手段により選択された第１の情報が、前記記憶手段に記憶されることを特徴とする。この画像装置は、記録媒体の名称と、記録媒体の名称に対応した前記第１の情報とを前記テーブルに登録する登録手段を更に備え、前記入力手段により入力された記録媒体の名称と、前記取得手段によって取得した記録媒体の光学的反射に関する情報とを、前記登録手段を介して前記テーブルに登録することを特徴とする。
【００１１】
【発明の実施の形態】
実施の形態１
図１は、実施の形態１に係わる画像形成装置の構成を示す。図１において、原稿読み取り部１０１は、原稿に光を照射して反射光を、原稿の画像情報として、読み取る。原稿読み取り部１０１に、光沢度センサや色センサを設けて、原稿の光沢度や色等も読み取るようにしてもよい。明度記憶部１０４は、記憶領域１０４ａと記憶領域１０４ｂとを有し、原稿読み取り部１０１で読み取られた原稿の明度を記憶する。ここで、原稿の明度とは、画像の下地の明度である。代替案としては、画像の明度の平均値を読みこんでもよい。明度比較部１０５は、原稿読み取り部１０１と明度記憶部１０４とに接続されており、原稿読み取り部１０１で読みとられた原稿の明度を、記憶領域１０４ａに記憶された明度及び記憶領域１０４ｂに記憶された明度と比較する。記憶領域１０４ａは、トレイ１０７に収容した記録媒体１の明度を記憶し、記憶領域１０４ｂは、トレイ１０８に収容した記録媒体２の明度を記憶する。媒体選択部１０６は、明度比較部１０５に接続されており、明度比較部１０５から出力される比較結果に基づいて、トレイ１０７又はトレイ１０８へ選択信号を出力する。
【００１２】
トレイ１０７は、記録媒体１を収容する。トレイ１０７は、媒体選択部１０６から選択信号を受信すると、画像形成部１０９に記録媒体を供給する。トレイ１０８は記録媒体１を収容する。トレイ１０８は、媒体選択部１０６から選択信号を受信すると、画像形成部１０９に記録媒体２を供給する。記録媒体１と記録媒体２は、互いに異なる明度を有する。
【００１３】
画像形成部１０９は、トレイ１０７から供給された記録媒体１、又はトレイ１０８から供給された記録媒体２上に画像を形成する。操作部１１０は、オペレータからのコピー動作の命令を受信すると、原稿読み取り部１０１に読み取りを命令する。
【００１４】
また、オペレータが、操作部１１０を介して、媒体の明度を記憶する命令を入力すると、操作部１１０は、トレイの選択を促すメッセージと、記録媒体の明度の読み取り要求メッセージとを表示する。一方、原稿読み取り部１０１は、記録媒体の明度の読み取りを実行し、明度記憶部１０４は、読み取られた媒体の明度を記憶する。
【００１５】
実施の形態１の画像形成装置には、２つの動作モードがある。すなわち、記録媒体の明度を装置内に記憶する動作モードと、原稿を読み取って画像を形成する動作モードである。記録媒体の明度を装置内に記憶する動作は、トレイに記録媒体を補給する際に実行される。
【００１６】
図２は、実施の形態１の動作を説明するフローチャートであり、記録媒体の明度を装置内に記憶する動作を示している。図２を参照して、トレイ１０７に収容された記録媒体の明度を装置内に記憶する動作を説明する。
【００１７】
オペレータが、操作部１１０を介して記録媒体の明度の記憶を命令する（Ｓ１０１）。トレイの選択を促すメッセージが操作部１１０に表示される（Ｓ１０２）。オペレータが操作部１１０を操作してトレイ１０７を選択する（Ｓ１０３）と、記録媒体１の読み取りを要求するメッセージが、操作部１１０に表示される（Ｓ１０４）。オペレータが、原稿読み取り部１０１の原稿台に記録媒体１をセットして、明度の読み取りを命令する（Ｓ１０５）と、原稿読み取り部１０１が記録媒体１の明度を読み取り（Ｓ１０６）、読み取られた明度は、明度記憶部１０４内の記憶領域１に記憶される（Ｓ１０７）。オペレータが操作部１１０を操作してトレイ１０８を選択する（Ｓ１０３）と、記録媒体２の読み取りを要求するメッセージが、操作部１１０に表示される（Ｓ１０８）。オペレータが、原稿読み取り部１０１の原稿台に記録媒体２をセットして、明度の読み取りを命令する（Ｓ１０９）と、原稿読み取り部１０１が記録媒体２の明度を読み取り（Ｓ１１０）、読み取られた明度は、明度記憶部１０４内の記憶領域２に記憶される（Ｓ１１１）。
【００１８】
図３は、画像を形成する動作（コピー動作）を説明するフローチャートである。以下に、図３を参照して、原稿を読み取って、コピー動作を説明する。オペレータが、原稿読み取り部１０１の原稿台に原稿をセットしてコピー動作を指示する（Ｓ１５１）と、原稿読み取り部１０１は、原稿から画像情報を光学的に読み取る（Ｓ１５２）。明度比較部１０５は、読み取られた原稿の明度を、記憶領域１０４ａに記憶された明度及び記憶領域１０４ｂに記憶された明度と比較し、読み取られた原稿の明度が、記憶領域１０４ａの明度と記憶領域１０４ｂの明度のいずれに近いかを判定する（Ｓ１５３）。
【００１９】
明度比較部１０５の比較結果は、媒体選択部１０６に入力され、記憶領域１０４ｂの明度より記憶領域１０４ａの明度の方が、読み取った原稿の明度に近い場合は、トレイ１０７を選択する選択信号が出力され、ステップＳ１５４へ進む。記憶領域１０４ａの明度より、記憶領域１０４ｂの明度の方が、読み取った原稿の明度に近い場合は、トレイ１０８を選択する選択信号が出力され、ステップＳ１５６に進む。
【００２０】
トレイ１０７は選択信号を受信すると、記録媒体１を画像形成部１０９へ給紙し（Ｓ１５４）、画像形成部１０９は給紙された記録媒体１上に、読み取った原稿の画像を形成する（Ｓ１５５）。原稿から画像を読み取るのと同時に、記録媒体上に画像を形成してもよいし、画像形成部に記憶してから、画像形成をしてもよい。
【００２１】
トレイ１０８は選択信号を受信すると、記録媒体２を画像形成部１０９へ給紙し（Ｓ１５６）、画像形成部１０９は給紙された記録媒体１上に、読み取った原稿の画像を形成する（Ｓ１５７）。
【００２２】
実施の形態２
図４は、実施の形態２に係わる画像形成装置の構成を示す。図４において、原稿読み取り部２０１は、光を原稿に照射して反射光を原稿の画像情報として読み取る。明度記憶部２０４は、明度センサ２０７ａと明度センサ２０８ａに接続されていて、明度記憶部２０４は、記憶領域２０４ａと記憶領域２０４ｂを有する。記憶領域２０４ａは、明度センサ２０７ａにより検出された記録媒体１の明度を記憶し、記憶領域２０４ｂ明度センサ２０８ａにより検出された記録媒体２の明度を記憶する。
【００２３】
明度比較部２０５は、原稿読み取り部２０１と明度記憶部２０４に接続されており、原稿読み取り部２０１で読み取られた原稿の明度を、記憶領域２０４ａに記憶された明度及び記憶領域２０４ｂに記憶された明度と比較する。媒体選択部２０６は、明度比較部２０５に接続されており、明度比較部２０５から出力される比較結果に基づいて、トレイ２０７又はトレイ２０８に選択信号を出力する。
【００２４】
トレイ２０７は記録媒体１を収容する。トレイ２０７は、媒体選択部２０６から選択信号を受信すると、画像形成部２０９に記録媒体１を供給する。トレイ２０８は、記録媒体２を収容する。トレイ２０８は、媒体選択部２０６から選択信号を受信すると、画像形成部２０９に記録媒体２を供給する。記録媒体１と記録媒体２は、互いに異なる明度を有する。画像形成部２０９は、トレイ２０７から供給された記録媒体１又はトレイ２０８から供給された記録媒体２上に画像を形成する。
【００２５】
明度センサ２０７ａはトレイ２０７に設けられ、記録媒体１の明度を検出する。明度センサ２０８ａはトレイ２０８に設けられ、記録媒体２の明度を検出する。オペレータが、操作部２１０を介して、コピー動作を命令すると、原稿読み取り部２０１が記録媒体の明度を読み取る。
【００２６】
図５は、実施の形態２に係わる画像形成装置のコピー動作を説明するフローチャートである。図５を参照して、実施の形態２に係わる画像形成装置のコピー動作を説明する。
【００２７】
オペレータが、原稿を原稿読み取り部２０１の原稿台にセットしてコピー動作を指示する（Ｓ２０１）と、原稿の画像情報が読み取られる（Ｓ２０２）。明度センサ２０７ａは記録媒体１の明度を検出する。検出された記録媒体１の明度は、明度記憶部２０４中の記憶領域２０４ａに記憶される。（Ｓ２０３）。明度センサ２０８ａは記録媒体２の明度を検出する。検出された記録媒体２の明度は、明度記憶部２０４中の記憶領域２０４ｂに記憶される（Ｓ２０４）。読み取られた原稿の明度と、記憶領域２０４ａの明度と、記憶領域２０４ｂの明度は明度比較部２０５に入力され、読み取られた原稿の明度が、記憶領域２０４ａに記憶された明度及び記憶領域２０４ｂに記憶された明度のいずれに近いかを比較する（Ｓ２０５）。比較結果は、媒体選択部２０６に入力され、記憶領域２０４ｂの明度よりも、記憶領域２０４ａの明度が、読み取った原稿の明度に近い場合は、トレイ２０７に選択信号が出力され、Ｓ２０６へ進む。また、記憶領域２０４ａの明度よりも、記憶領域２０４ｂの明度が、読み取った原稿の明度に近い場合は、トレイ２０８に選択信号が出力され、Ｓ２０８ヘ進む。トレイ２０７が選択信号を受信すると、記録媒体１を画像形成部２０９に給紙し（Ｓ２０６）、画像形成部２０９は、読み取った原稿の画像を、給紙された記録媒体１上に形成する。トレイ２０８が選択信号を受信すると、記録媒体２を画像形成部２０９に給紙し（Ｓ２０８）、画像形成部２０９は、読み取った原稿の画像を、給紙された記録媒体２上に形成する（Ｓ２０９）。
【００２８】
実施の形態３
図６は、実施の形態３に係わる画像形成装置の構成を示す。原稿読み取り部３０１は、光を原稿に照射して反射光を原稿の画像情報として読み取る。明度記憶部３０４は、明度センサ３０９ａと３０９ｂに接続されていて、明度センサ３０９ａが検出した記録媒体の明度を記憶する。前記明度記憶部３０４は、記録領域３０４ａと記憶領域３０４ｂとを有する。明度比較部３０５は、原稿読み取り部３０１と明度記憶部３０４に接続されており、原稿読み取り部３０１で読み取られた原稿の明度と、記憶領域３０４ａに記憶された明度と、記憶領域３０４ｂに記憶された明度を比較する。媒体選択部３０６は、明度比較部３０５に接続されていて、明度比較部３０５から出力される比較結果に基いて、トレイ３０７又はトレイ３０８へ選択信号を出力する。
【００２９】
トレイ３０７は記録媒体１を収容する。トレイ３０７は、媒体選択部３０６に接続され、媒体選択部３０６から選択信号を受信すると、画像形成部３０９に記録媒体１を供給する。トレイ３０８は、記録媒体２を収容する。トレイ３０８は媒体選択部３０６に接続され、媒体選択部３０６から選択信号を受信すると、画像形成部３０９に記録媒体２を供給する。記録媒体１と記録媒体２は、互いに異なる明度を有する。画像形成部３０９は、トレイ３０７から供給された記録媒体１、又はトレイ３０８から供給された記録媒体２の上に、原稿と同じ画像を形成する。
【００３０】
明度センサ３０９ａは、画像形成部３０９の内部に設けられ、トレイ３０７から供給された記録媒体１の明度、又はトレイ３０８から供給された記録媒体２の明度を検出する。媒体センサ３０９ｂは、画像形成部３０９の内部に設けられ、トレイ３０７から供給される記録媒体１の有無、またはトレイ２から供給される記録媒体２の有無を検出する。オペレータが、操作部３１０を介して、コピー動作を命令すると、原稿読み取り部３０１が原稿を読み取り、媒体選択部３０６がトレイ選択信号を出力し、明度記憶部３０４が媒体の明度を記憶する。
【００３１】
図７は、実施の形態３に係わる画像形成装置のコピー動作を説明するフローチャートである。図７を参照して、実施の形態３に係わる画像形成装置のコピー動作を説明する。オペレータが、原稿を原稿読み取り部３０１の原稿台にセットしてコピー動作を指示すると（Ｓ３０１）、原稿読み取り部３０１が原稿を読み取る（Ｓ３０２）。
【００３２】
媒体選択部３０６はトレイ３０７に選択信号を出力する。媒体選択部３０６から選択信号を受けて、トレイ３０７は記録媒体１を画像形成部３０９に給紙する（Ｓ３０３）。画像形成部３０９は媒体センサに３０９ｂにより記録媒体１の有無を判定し（Ｓ３０４）、記録媒体１を検出したら、明度センサ３０９ａにより記録媒体１の明度を検出する。検出された記録媒体１の明度は、明度記憶部３０４の記憶領域３０４ａに記憶される（Ｓ３０５）。画像形成部３０９は記録媒体１をトレイ３０７へ戻す（Ｓ３０６）。
【００３３】
媒体選択部３０６はトレイ３０８に選択信号を出力する。媒体選択部３０６からの選択信号を受けて、トレイ３０８は記録媒体２を画像形成部３０９に給紙する（Ｓ３０７）。画像形成部３０９は、媒体センサ３０９ｂにより記録媒体２の有無を判定し（Ｓ３０８）、記録媒体２を検出したら、明度センサ３０９ａにより記録媒体２の明度を検出する。検出された記録媒体２の明度は、明度記憶部３０４の記憶領域３０４ｂに記憶される（Ｓ３０９）。画像形成部３０９は記録媒体２をトレイ３０８へ戻す（Ｓ３１０）。
【００３４】
明度比較部３０５は、読み取られた原稿の明度を、記憶領域３０４ａの明度及び記憶領域３０４ｂの明度と比較し、記憶領域３０４ａの明度と、記憶領域３０４ｂの明度のいずれが、読み取られた原稿の明度に近いかを判定する（Ｓ３１１）。
【００３５】
この比較結果は、媒体選択部３０６に入力され、記憶領域３０４ｂの明度より記憶領域３０４ａの明度が、読み取った原稿の明度に近い場合は、トレイ３０７に選択信号が出力されＳ３１２へ進む。または、記憶領域３０４ａの明度より、記憶領域３０４ｂの明度のほうが、読み取った原稿の明度に近い場合は、トレイ３０８に選択信号が出力され、Ｓ３１４へ進む。
【００３６】
トレイ３０７は選択信号を受信すると、記録媒体１を画像形成部３０９に給紙し（Ｓ３１２）、画像形成部３０９が、読み取った原稿の画像情報を、記録媒体１上に形成する（Ｓ３１３）。トレイ３０８は選択信号を受信すると、記録媒体２を画像形成部３０９に給紙し（Ｓ３１４）、画像形成部３０９が、読み取った原稿の画像情報を、記録媒体２上に形成する（Ｓ３１５）。
【００３７】
実施の形態４
図８は実施の形態４に係わる画像形成装置の構成を示す。原稿読み取り部４０１は、原稿に光を照射して反射光を原稿原稿の画像情報として読み取る。明度記憶部４０４は、操作部４１０に接続されており、操作部４１０を介して入力された明度を記憶する。明度記憶部４０４は、記憶領域４０４ａと記憶領域４０４ｂとを有する。明度比較部４０５は、原稿読み取り部４０１と明度記憶部４０４に接続されており、原稿読み取り部４０１で読み取られた原稿の明度を、記憶領域４０４ａに記憶された明度及び記憶領域４０４ｂに記憶された明度と比較する。媒体選択部４０６は、明度比較部４０５に接続されており、明度比較部４０５から出力される比較結果に基づいて、トレイ４０７またはトレイ４０８に選択信号を出力する。
【００３８】
トレイ４０７は記録媒体１を収容する。トレイ４０７は、媒体選択部４０６から選択信号を受信すると、画像形成部４０９に記録媒体１を供給する。トレイ４０８は、記録媒体２を収容する。トレイ４０８は、媒体選択部４０６から選択信号を受信すると、画像形成部４０９に記録媒体２を供給する。記録媒体１と記録媒体２はそれぞれ異なる明度の記録媒体を使用する。
【００３９】
画像形成部４０９は、トレイ４０７から供給された記録媒体１またはトレイ４０８から供給された記録媒体２上に画像を形成する。オペレータが、操作部４１０を介して、コピー動作の命令を入力すると、原稿読み取り部４０１が原稿の画像情報を読み取る。また、媒体の明度を入力する場合は、操作部４１０が、トレイの選択を促すメッセージや、記録媒体明度の入力要求メッセージを表示して、オペーレータがトレイを選択したり、記録媒体の明度を入力するのを促す。
【００４０】
実施の形態４に係わる画像装置の動作には、記録媒体の明度を装置に記憶する動作と、原稿を読み取って画像を形成するコピー動作とがある。記録媒体の明度を装置に記憶する動作は、トレイに新規の記録媒体を収容する際に実行される。
【００４１】
図９は、記録媒体の明度を装置内に記憶する動作を説明するフローチャートである。図９を用いて、トレイ４０７に収容した記録媒体の明度を装置内に記憶する動作を説明する。
【００４２】
オペレータが、操作部４１０を介して、記録媒体の明度の記憶を命令する（Ｓ４０１）と、トレイの選択を促すメッセージが操作部４１０に表示される（Ｓ４０２）。オペレータが、操作部４１０を操作して、トレイ１を選択する（Ｓ４０３）と、明度の入力を促すメッセージが操作部４１０に表示される（Ｓ４０４）。オペレータが操作部４１０から明度を入力する（Ｓ４０５）と、操作部４１０は、入力された明度が所定の範囲内にあるかどうかを判定する（Ｓ４０６）。所定の範囲外であればＳ４０５に戻り、所定の範囲内であれば、入力された明度が明度記憶部４０４内の記憶領域４０４ａに記憶される（Ｓ４０７）。
【００４３】
次に、図９を用いて、トレイ４０８に収容する記録媒体の明度を、装置に記憶する動作を説明する。
【００４４】
オペーレータが、操作部４１０を介して、記録媒体の明度の記憶を命令する（Ｓ４０１）と、トレイの選択を促すメッセージが操作部４１０に表示される（Ｓ４０２）。オペレータが操作部４１０を操作してトレイ４０８を選択する（Ｓ４０３）と、明度の入力を促すメッセージが、操作部４１０に表示される（Ｓ４０８）。オペレータが操作部４１０から明度を入力する（Ｓ４０９）と、操作部４１０は、入力された明度が、所定の範囲内にあるかどうかを判定する（Ｓ４１０）。所定の範囲外であればＳ４０９へ戻り、所定の範囲内であれば、入力された明度が明度記憶部４０４内の記憶領域４０４ｂに記憶される（Ｓ４１１）。実施の形態４に係わる画像形成装置のコピー動作は、実施の形態１と同一であるため、説明を省略する。
【００４５】
実施の形態５
図１０は、実施の形態５に係わる画像形成装置の構成を示す。図１１は、媒体とその明度を示すテーブルの一例を示す。原稿読み取り部５０１は、原稿に光を照射して反射光を原稿の画像情報として読み取る。明度記憶部５０４は、データ選択部５１１に接続されており、データ選択部５１１で選択された媒体の明度を記憶する。明度記憶部５０４は、記憶領域５０４ａと記憶領域５０４ｂとを有する。記憶領域５０４ａと記憶領域５０４ｂは、それぞれ、後述の記録媒体１と記録媒体２の明度を記憶する。明度比較部５０５は、原稿読み取り部５０１と明度記憶部５０４に接続されており、原稿読み取り部５０１で読み取られた原稿の明度を、記憶領域５０４ａに記憶された明度及び記憶領域５０４ｂに記憶された明度と比較する。媒体選択部５０６は、明度比較部５０５に接続されており、明度比較部５０５から出力される比較結果に従って、トレイ５０７またはトレイ５０８に選択信号を出力する。
【００４６】
トレイ５０７は記録媒体１を収容する。トレイ５０７は媒体選択部５０６に接続され、媒体選択部５０６から選択信号を受信すると、画像形成部５０９に記録媒体１を供給する。トレイ５０８は、記録媒体２を収容する。トレイ５０８は媒体選択部５０６に接続され、媒体選択部５０６から選択信号を受信すると、画像形成部５０９に記録媒体２を供給する。記録媒体１と記録媒体２は互いに異なる明度を有する。画像形成部５０９は、トレイ５０７から供給された記録媒体１またはトレイ５０８から供給された記録媒体２上に、原稿と同じ画像を形成する。
【００４７】
オペーレータが、操作部５１０を介して、コピー動作を命令すると、原稿読み取り部５０１が原稿の画像情報を読み取る。また、オペーレータが、操作部５１０を介して、媒体の選択を命令すると、選択された媒体に関する情報が操作部５１０からデータ選択部５１１に出力される。また、媒体の選択を命令すると、トレイ５０８の選択メッセージと、記録媒体選択要求メッセージとを表示する。データ選択部５１１は、操作部５１０からの命令にしたがって、媒体明度テーブル５１２から媒体の明度を選択する。媒体明度テーブル５１２には、予め複数の媒体の、媒体番号、媒体名及び明度が格納されている。
【００４８】
実施の形態５に係わる画像形成装置の動作には、記録媒体の明度を装置内に記憶する動作と、原稿を読み取って画像を形成する動作（コピー動作）とがある。記録媒体の明度を記憶する動作は、トレイに新規の記録媒体を収容する際に行う。
【００４９】
図１２は、トレイ５０７に収容する記録媒体を選択し、記録媒体の明度を装置内に記憶する動作を説明するフローチャートである。図１２を用いて、トレイ５０７に収容する記録媒体を選択し、この記録媒体の明度を装置内に記憶する動作を説明する。オペレータが、操作部５１０を介して、記録媒体の明度の記憶を命令すると（Ｓ５０１）、トレイの選択を促すメッセージが操作部５１０に表示される（Ｓ５０２）。ここで、オペレータが操作部５１０を操作して、トレイ５０７を選択する（Ｓ５０３）と、操作部５１０は媒体明度テーブル５１２の情報から、記録媒体の媒体番号と記録媒体名の一覧を作成し、操作部５１０に表示する（Ｓ５０４）。
【００５０】
オペーレータが操作部５１０を操作して記録媒体番号を入力する（Ｓ５０５）と、操作部５１０は入力された記録媒体番号が所定の範囲内にあるかどうかを判定し（Ｓ５０６）、所定の範囲外であればＳ５０５に戻り、所定の範囲内であれば、媒体明度テーブル５１２が検索され、入力された記録媒体番号に対応する明度が、明度記憶５０４中にある記憶領域５０４ａに記憶される（Ｓ５０７）。
【００５１】
トレイ５０８に収容する記録媒体を選択するとと共に、記録媒体の明度を装置内に記憶する動作は、トレイの選択時にトレイ５０８を選択すると、選択された明度が記憶領域５０４ｂに記憶されることを除けば、トレイ５０７を選択した場合と同じである。
【００５２】
実施の形態５に係わる画像形成装置のコピー動作は、実施の形態１と同一であるので説明を省略する。
【００５３】
実施の形態６
図１３は実施の形態６に係わる画像形成装置を示す。原稿読み取り部６０１は原稿に光を照射して反射光を原稿の画像情報として読み取る。明度記憶部６０４は、記憶領域６０４ａと記憶領域６０４ｂを有する。記憶領域６０４ａと記憶領域６０４ｂは、記録媒体１と記録媒体２の明度を、それぞれ、記憶する。オペレータが媒体明度テーブル６１２から所望の媒体を選択すると、データ選択部６１１は、対応する記憶領域から、明度記憶部６０４へ、選択された媒体の明度を出力させる。明度比較部６０５は原稿読み取り部６０１と明度記憶部６０４に接続されており、原稿読み取り部６０１で読み取られた原稿の明度を、記憶領域６０４ａ又は記憶領域６０４ｂに記憶された明度と比較する。媒体選択部６０６は、明度比較部６０５に接続されており、明度比較部６０５から出力される比較結果に従って、トレイ６０７またはトレイ６０８に選択信号を出力する。
【００５４】
トレイ６０７は記録媒体１を収容する。トレイ６０７は、媒体選択部６０６から選択信号を受信すると、画像形成部６０９に記録媒体１を供給する。
【００５５】
トレイ６０８は、記録媒体２を収容する。トレイ６０８は、媒体選択部６０６から選択信号を受信すると、画像形成部６０９に記録媒体２を供給する。記録媒体１と記録媒体２は互いに異なる明度を有する。画像形成部６０９は、トレイ６０７から供給された記録媒体１上、またはトレイ６０８から供給された記録媒体２上に画像を形成する。
【００５６】
オペーレータが、操作部６１０を介して、コピー動作を命令すると、原稿読み取り部６０１が原稿を読み取る。また、オペーレータが、操作部６１０を介して、媒体の選択を命令すると、操作部６１０から、選択された媒体に関する情報がデータ選択部６１１に出力される。
【００５７】
オペレータが、操作部６１０を介して、記録媒体登録の命令をすると、原稿読み取り部６０１が原稿を読み取り、データ登録制御部６１３が媒体明度データの登録をする。また、操作部６１０を介して、媒体の選択を命令すると、操作部６１０は、トレイ選択メッセージと、記録媒体選択要求メッセージとを表示する。オペレータが、操作部６１０を介して、媒体の登録を命令すると、操作部６１０は、媒体番号入力要求メッセージ、記録媒体読み取り要求メッセージ及び記録媒体名入力要求メッセージを表示する。
【００５８】
データ選択部６１１は、操作部６１０から入力された命令にしたがって、媒体明度テーブル６１２から媒体の明度を選択する。媒体明度テーブル６１２には、予め複数の媒体番号、媒体名及び明度が格納されている。データ登録制御部６１３は、操作部６１０から入力された命令に従って、原稿読み取り部６０１で読み取られた原稿の明度を媒体明度テーブル６１２に登録する。
【００５９】
図１４は、記録媒体の明度を媒体明度テーブルに登録する動作のフローチャートである。図１４を参照して、記録媒体の明度を媒体明度テーブルに登録する動作を説明する。ここでは、例として、図１１に示す構成の媒体明度テーブルの媒体番号１０番に記録媒体の明度を登録する場合を示す。
【００６０】
オペレータが、操作部６１０を介して、記録媒体の明度の登録を命令すると（Ｓ６０１）、媒体番号の選択を促すメーセージが操作部６１０に表示される（Ｓ６０２）。オペレータが、操作部６１０を介して、媒体番号「１０番」を選択する（Ｓ６０３）と、記録媒体の読み取りを要求するメッセージが操作部６１０に表示される（Ｓ６０４）。オペーレータが、原稿読み取り部６０１の原稿台に記録媒体をセットして読み取りを指示する（Ｓ６０５）と、原稿読み取り部６０１が記録媒体の明度を読み取り（Ｓ６０６）、データ登録制御部６１３が、読み取った明度を媒体明度テーブル６１２中の、媒体番号「１０番」の明度を保持する領域に登録する（Ｓ６０７）。操作部６１０は、明度登録終了を示すメッセージと、記録媒体名の入力を促すメッセージとを表示する（Ｓ６０８）。オペレータが、操作部６１０により記録媒体の名称を入力する（Ｓ６０９）と、データ登録制御部６１３は入力された記録媒体の名称を、媒体明度テーブル６１２中の媒体番号「１０番」を保持する領域に登録する（Ｓ６１０）。
【００６１】
【発明の効果】
請求項１から５の発明では、原稿のコピー動作において、異なる明度を有する２つの媒体のうち、原稿の画像の明度に近い明度を有する記録媒体を選択することが可能になるので、記録品質の低下を防止できる。
【００６２】
請求項６と７の発明では、トレイに設けられた明度センサにより、記録媒体の明度を検出する。したがって、コピー動作に先立って、記録媒体を読みとって記録媒体の明度を記憶する必要がなくなり、オペレータが操作し易くなる。
【００６３】
また、記録媒体の明度を検出する明度センサが一つとなるので、センサ間のばらつきによる媒体の明度の検出誤差がなくなり、更に装置のコストダウンが可能となる。
【００６４】
請求項８の発明では、オペレータが記録媒体の明度を入力することで、記録媒体の明度を個別に設定できる。したがって、コピー動作に先立って記録媒体を読み取った記録媒体の明度を記憶する必要がないから、装置の操作性が向上する。また、媒体明度センサが不要となるので、装置のコストダウンが可能になる。
【００６５】
請求項９の発明では、オペレータが記録媒体名一覧より、記録媒体番号を指定することにより、記録媒体の明度を設定できる。したがって、コピー動作に先立って、記録媒体を読み取った記録媒体の明度を記憶する必要がないから、オペレータが装置を操作し易くなる。また、媒体明度センサが不要になるので、装置のコストダウンが可能である。
【００６６】
請求項１０の発明では、オペレータの操作により、記録媒体の明度を媒体明度テーブルに登録することができるので、予め登録されていない記録媒体に対応することが可能となる。
【図面の簡単な説明】
【図１】実施の形態１に係わる画像形成装置の構成を示す。
【図２】記録媒体の明度を装置内に記憶する動作を説明するフローチャートである。
【図３】原稿を読み取り、画像を形成するコピー動作を説明するフローチャートである。
【図４】実施の形態２に係わる画像形成装置の構成を示す。
【図５】実施の形態２に係わる画像形成装置のコピー動作を説明するフローチャートである。
【図６】実施の形態３に係わる画像形成装置の構成を示す。
【図７】実施の形態３に係わる画像形成装置のコピー動作を説明するフローチャートである。
【図８】実施の形態４に係わる画像形成装置の構成を示す。
【図９】記録媒体の明度を装置に記憶する動作を説明するフローチャートである。
【図１０】実施の形態５に係わる画像形成装置の構成を示す。
【図１１】媒体明度テーブルの構成の一例を示す。
【図１２】トレイに収容した記録媒体を選択し、装置に記憶する動作を説明するフローチャートである。
【図１３】実施の形態６に係わる画像形成装置を示す。
【図１４】記録媒体の明度を媒体明度テーブルに登録する動作のフローチャートである。
【符号の説明】
１０１、２０１、３０１、４０１、５０１、６０１  原稿読み取り部、  １０４、２０４、３０４、４０４、５０４、６０４  明度記憶手段、  １０５、２０５、３０５、４０５、５０５、６０５  明度比較部、  １０６、２０６、３０６、４０６、５０６、６０６  選択手段、  １０７、２０７、３０７、４０７、５０７、６０７  トレイ、  １０８、２０８、３０８、４０８、５０８、６０８  トレイ、  １０９、２０９、３０９、４０９、５０９、６０９  画像形成部。
【図１】
2004361605.tif 000003
【図２】
2004361605.tif 000004
【図３】
2004361605.tif 000005
【図４】
2004361605.tif 000006
【図５】
2004361605.tif 000007
【図６】
2004361605.tif 000008
【図７】
2004361605.tif 000009
【図８】
2004361605.tif 000010
【図９】
2004361605.tif 000011
【図１０】
2004361605.tif 000012
【図１１】
2004361605.tif 000013
【図１２】
2004361605.tif 000014
【図１３】
2004361605.tif 000015
【図１４】
2004361605.tif 000016